(57)【要約】【課題】本発明は、環境に優しい素材を適用することで廃棄時の環境汚染を防止し、弾性素材を複数付着することで強度を維持することができ、その構造改善により容易な折り畳みが可能で、狭小な空間でも保管できるバナー支持台を提供する。【解決手段】本発明は、複数のプレートが積層されて成る複数のフレーム、前記複数のフレームが、互いに結合される前記内側及び外側カバーにそれぞれ挿入されて、連結される連結部、前記複数のフレームの端部にそれぞれ備わってバナーを支持する支持部、及び前記連結部の一側に連結されて前記複数のフレームを支持する支えフレームを含むバナー支持台を提供する。【選択図】図１
2010156940.tif 000002
【特許請求の範囲】
【請求項１】
複数のプレートを積層して成る複数のフレーム、
前記複数のフレームが、互いに結合される内側及び外側カバーにそれぞれ挿入されることで連結される連結部、
前記複数のフレームの端部にそれぞれ備わってバナーを支持する支持部、
及び前記連結部の一側に連結されて前記複数のフレームを支持する支えフレームを含むことを特徴とするバナー支持台。
【請求項２】
前記フレームは、複数の竹が互いに付着されて成ることを特徴とする、請求項1に記載のバナー支持台。
【請求項３】
前記連結部の前記内側カバーは、内側ケースと、前記内側ケースの一側に形成された第１挿入部と、前記内側ケースの他側に形成された第２挿入部と、前記第２挿入部に突出して形成された第１突起とを含み、
前記連結部の前記外側カバーは、外側ケースと、前記外側ケースの一側に形成された第３挿入部と、前記外側ケースの他側に形成された第４挿入部と、前記第４挿入部に突出して形成された第２突起と、前記外側ケースから突出して前記支えフレームが挿入される第５挿入部と、を含むことを特徴とする請求項1に記載のバナー支持台。
【請求項４】
前記複数のフレームは、前記連結部の前記第１挿入部に挿入される第１フレームと、前記第２挿入部に挿入され、一端に貫通ホールが形成されて前記第１突起に嵌合される第２フレームと、前記第３挿入部に挿入される第３フレームと、前記第４挿入部に挿入され、一端に貫通ホールが形成されて前記第２突起に嵌合される第４フレームと、を含み、
前記第１及び第３フレームは、前記バナーの上部を支持し、前記第２及び第４フレームは、前記バナーの下部を支持することを特徴とする、請求項３に記載のバナー支持台。
【請求項５】
前記支持部は、前記複数のフレームの端部にそれぞれ挿入されるギャップ部を含み、前記ギャップ部には挿入ホールが形成され、前記第２及び第４フレームの端部には、それぞれ第１及び第２挿入軸が突出して、前記挿入ホールに挿入されることによって、前記ギャップ部が回転可能となることを特徴とする、請求項４に記載のバナー支持台。
【請求項６】
前記連結部は、前記複数のフレームにおける上部フレームが挿入される上部挿入部と、前記複数のフレームにおける下部フレームが挿入される下部挿入部と、前記支えフレームが挿入される支え挿入部と、を含むことを特徴とする請求項1に記載のバナー支持台。
【請求項７】
前記支持部は、前記上部フレームの上部に連結される上部支持台と、前記下部フレームの下部に連結される下部支持台とを含み、前記上部支持台は、内部に案内ホールが長手方向に形成される本体と、前記本体の両側に旋回可能に備わって前記バナーの側方向離脱を防止する一対のレバーと、前記案内ホールに挿入されることによって前記バナーを前記上部支持台に連結させる支持バーと、を含むことを特徴とする請求項６に記載のバナー支持台。
【請求項８】
前記本体の底面には通過ホールが長手方向に形成され、前記通過ホールは案内ホールと連通され、前記通過ホールの上部にはステップが形成されることによって、前記支持バーが案内ホールの側方から前記本体の内部に挿入され、前記バナーが前記通過ホールを通って下部に進出することを特徴とする、請求項７に記載のバナー支持台。
【請求項９】
前記複数のフレームは、内側面に発光部材が配置されることを特徴とする請求項４又は請求項６のいずれか一項に記載のバナー支持台。
【請求項１０】
支え台、
前記支え台の上部に備わり、前後部に第１及び第２上部掛けピンと、第１及び第２下部掛けピンとが突出する支持台、
及び前記支持台の前後部に備わってバナーを支持し、複数の竹プレートを接着させて成る一対のフレームを含み、
前記一対のフレームは、前記支持台の前方に備わる前方フレームと、前記支持台の後方に備わる後方フレームと、を含み、
前記前方フレームは、前記支持台の前記第１上部掛けピンに掛かる第１上部支持台と、前記第１下部掛けピンに掛かる第１下部支持台と、を含み、
前記後方フレームは、前記支持台の前記第２上部掛けピンに掛かる第２上部支持台と、前記第２下部掛けピンに掛かる第２下部支持台と、を含むことを特徴とするバナー支持台。
【請求項１１】
支え台、
前記支え台の上部に備わった支持台、
前記支持台の一側に備わってバナーを支持し、複数の竹プレートを接着して成るフレーム、
及び前記フレームによって支持された前記バナーの下部が、巻かれているローラを含むことを特徴とするバナー支持台。
【請求項１２】
バナーの上部が連結され、複数の竹プレートが接着されたフレーム、
及び前記バナーの下部が連結された支え台を含み、
前記フレームは、内部に案内ホールが長手方向に形成され、上面に一対のホールが形成される本体と、前記本体の両側に旋回可能に備わって前記バナーの側方向離脱を防止するレバーと、前記案内ホールに挿入されることによって前記バナーを上部支持台に連結させる支持バーと、を含み、
前記本体の一対のホールには、ワイヤーがそれぞれ挿入され、前記ワイヤーの両端には、掛けバーがそれぞれ連結されて前記一対のホールに引っ掛かることを特徴とするバナー支持台。
【発明の詳細な説明】
【技術分野】
【０００１】
本発明はバナー支持台に関するものであって、より詳しくは、環境に優しく、且つ強度を向上させるために、その構造が改善されたバナー支持台に関するものである。
【背景技術】
【０００２】
最近は、広告あるいは展示産業の発達によって、バナー（Ｂａｎｎｅｒ）に対する需要が増加している。
【０００３】
広告文、又は各種行事内容を記入したバナーは、バナー支持台で支持されることによって、直立状態で設置され得る。
【０００４】
前記バナー支持台は、通常、複数のフレームと、該フレームを連結する連結部と、複数のフレームに備わってバナーを支持する支持部と、を含む。
【０００５】
従って、前記複数のフレームを展開することによって、バナーは支持されることができ、展示後にフレームを折りたたむことによって保管することができる。
【０００６】
さらに前記複数のフレームは、強度を維持するために、アルミニウム、あるいは繊維ガラスで製造され、中空のポール形状を有している。
【０００７】
しかし、従来のバナー支持台は、アルミニウムのような材質から成っていることによって、廃棄時に環境を汚染し得るという問題点を有している。
【０００８】
バナー支持台を折りたたむと、バナー支持台が広大な空間を占有するため、保管しにくいという問題点も有している。
【０００９】
さらに前記バナー支持台は、高強度材質であるから弾性が不足しており、外力を受けると折れやすいという問題点も有している。
【発明の概要】
【発明が解決しようとする課題】
【００１０】
従って、本発明は、前記問題点を勘案して案出されたものであって、本発明の目的は、環境に優しい素材を適用することによって廃棄時の環境汚染を防止し、弾性素材を複数付着することによって、弾性を有すると共に強度をも維持することができるバナー支持台を提供することにある。
【００１１】
本発明の他の目的は、その構造が改善されることで容易に折り畳むことができ、狭小な空間でも保管できるバナー支持台を提供することにある。
【課題を解決するための手段】
【００１２】
前記目的を達成するために、本発明は、複数のプレートを積層して成る複数のフレーム、前記複数のフレームが、互いに結合される前記内側及び外側カバーにそれぞれ挿入されることで連結される連結部、前記複数のフレームの端部にそれぞれ備わってバナーを支持する支持部、及び前記連結部の一側に連結されて前記複数のフレームを支持する支えフレームを含むバナー支持台を提供する。
【発明の効果】
【００１３】
本発明の実施形態に応じたバナー支持台は、竹素材を適用するため、環境に優しいという長所を有する。
【００１４】
本発明の実施形態に応じたバナー支持台は、複数の竹プレートを互いに付着させて一体化することによって、竹の弾性と強度とを同時に維持することができるという長所を有する。
【００１５】
本発明の実施形態に応じたバナー支持台は、ギャップ部をフレームの端部に回転可能に備えることによって、バナー支持台を折り畳む時、フレームの間隔が最少化されて、狭小な空間でも保管できるという長所を有する。
【００１６】
本発明の実施形態に応じたバナー支持台は、ワイヤーが上部支持台に連結されることによって、バナーを容易に固定支持することができるという長所を有する。
【図面の簡単な説明】
【００１７】
【図１】本発明の第１実施形態に応じたバナー支持台を示す斜視図である。
【図２】図１に示されたバナー支持台の正面図である。
【図３】図１に示されたフレームの斜視図である。
【図４】図３に示されたフレームの分解斜視図である。
【図５】図１に示された連結部の分解斜視図である。
【図６】図５に示された内側カバーの、内部構造を示す図面である。
【図７】図５に示された外側カバーの、内部構造を示す図面である。
【図８】図５に示された連結部に、フレームが挿入された状態を示す図面である。
【図９】図５に示された連結部の上部側を示す図面である。
【図１０】図５に示された外側カバーの下側を示す図面である。
【図１１】図５に示された連結部に、フレームが挿入されて作動する状態を示す図面である。
【図１２】図１に示されたギャップを示す側面図である。
【図１３】図１２に示されたギャップの、他の実施形態を示す斜視図である。
【図１４】図１３に示されたギャップによって、フレームが折り畳まれた状態を示す側面図である。
【図１５】本発明の第２実施形態に応じた、発光部材が配置されたバナー支持台を示す正面図である。
【図１６】本発明の第３実施形態に応じた、バナー支持台を示す斜視図である。
【図１７】図１６に示された連結部を示す斜視図である。
【図１８】図１６に示された上部支持台の構造を示す分解斜視図である。
【図１９】本発明の第４実施形態に応じた、発光部材が配置されたバナー支持台を示す斜視図である。
【図２０】本発明の第５実施形態に応じた、バナー支持台を示す斜視図である。
【図２１】図２０の側面図である。
【図２２】本発明の第６実施形態に応じた、掛け軸型バナー支持台を示す斜視図である。
【図２３】図２２の背面図である。
【図２４】本発明の第７実施形態に応じた、壁掛型バナー支持台を示す斜視図である。
【図２５】図２４に示されたフレームの内部構造を示す断面図である。
【発明を実施するための形態】
【００１８】
以下、本発明の実施形態に応じたバナー支持台を、添付した図面によって詳細に説明する。
【００１９】
図１は、本発明の第１実施形態に応じたバナー支持台を示す斜視図であり、図２は、図１に示されたバナー支持台の正面図であり、図３は、図１に示されたフレームの斜視図であり、図４は、図３の分解斜視図である。
【００２０】
図示したように、本発明によるバナー支持台１は、複数の竹プレートＰ１、Ｐ２・・・Ｐｎを積層して成る複数のフレーム５、９、７、及び１１、前記複数のフレーム５、９、７、及び１１を互いに連結させる連結部４、前記複数のフレーム５、９、７、及び１１の端部にそれぞれ備わって、バナーｆが連結される支持部１５ｃ、１５ｄ、１７ｃ、及び１７ｄ、及び前記連結部４の一側に連結されて、前記複数のフレーム５、９、７、及び１１を支持する支えフレーム１３を含む。
【００２１】
前記構造を有するバナー支持台1において、前記複数のフレーム５、９、７、及び１１は、バナーｆの上部両端を支持する第１及び第３フレーム５、７と、前記バナーｆの下部両端を支持する第２及び第４フレーム９、１１と、を含む。
【００２２】
前記複数のフレーム５、９、７、及び１１は、環境に優しい素材、好ましくは竹材質で形成され、複数の竹プレートＰ１、Ｐ２・・・Ｐｎを接着剤などによって互いに付着させた構造を有する。複数のプレートＰ１、Ｐ２・・・Ｐｎそれぞれは薄く形成されており、その両面それぞれに接着剤が塗布され、前記プレートＰ１、Ｐ２・・・Ｐｎを互いに圧着させることによって、一体化されたフレーム５、９、７、及び１１を形成することができる。
【００２３】
このように、竹材質の複数プレートＰ１、Ｐ２・・・Ｐｎが接合されてフレーム５、９、７、及び１１を製造するので、前記フレーム５、９、７、及び１１は、竹の弾性力を維持すると共に、強度も向上させることができる。
【００２４】
この時、前記接着剤として様々な接着剤を適用することができるが、ルームバーボンド(Ｌｕｍｂｅｒｂｏｎｄ/ｕｒｅａｆｏｒｍａｌｄｅｈｙｄｅｒｅｓｉｎ)を適用することが好ましい。
【００２５】
前記ルームバーボンドは、ヨウ素及びフォルムアルデヒドを、ピリジン又はアンモニアのような弱アルカリ性の下で加熱して製造する、有機重合体を意味する。
【００２６】
ここまで、複数の竹プレートは接着方式によって一体化される、として説明したが、本発明は、これに限定されるものではなくて、ネジ締結方式、ワイヤーによる結着方式なども可能である。
【００２７】
前記連結部４は、図５乃至図１１に示したように、内側カバー２０及び外側カバー２２から形成されることで、複数のフレーム５、９、７、及び１１を互いに連結させる。
【００２８】
前記内側カバー２０は、内側ケース２４と、内側ケース２４の一側に形成された第１挿入部２６と、内側ケース２４の他側に形成された第２挿入部２８と、前記第２挿入部２８で突出して形成される第１突起２９と、を含む。
【００２９】
また、前記外側カバー２２は、外側ケース３０と、外側ケース３０の一側に形成された第３挿入部３２と、前記外側ケース３０の他側に形成された第４挿入部３４と、前記第４挿入部３４で突出して形成される第２突起３６と、前記外側ケース３０から突出して支えフレームが挿入される第５挿入部３８と、を含む。
【００３０】
このような構造を有する内側及び外側カバー２０、２２には、ネジ穴ｈ１、ｈ２が形成され、ボルト２５を前記ネジ穴ｈ１、ｈ２で螺合させることによって、内側及び外側カバー２０、２２を一体的に結合することができる。
【００３１】
また、第１挿入部２６及び第３挿入部３２は、一定の深さを有し、互いに食い違った方向に形成され、第１挿入部２６には第１フレーム５が挿入され、第３挿入部３２には第３フレーム７が挿入される。
【００３２】
この時、前記第１及び第３挿入部２６、３２の幅は、第１及び第３フレーム５、７と同等の幅を有するので、第１及び第３フレーム５、７を、第１及び第３挿入部２６、３２へ固定的に挿入することができる。
【００３３】
従って、前記第１及び第３フレーム５、７を、連結部４の上部方向に挿入することによって、バナーｆの上部側を支持する。そして、第１及び第３フレーム５、７は、第１及び第３挿入部２６、３２から分離されるので、バナー支持台１を容易に保管することができる。
【００３４】
さらに前記第２挿入部２８には第２フレーム９が挿入され、第４挿入部３４には第４フレーム１１が挿入される。この時、第２挿入部２８及び第４挿入部３４の幅は、外側に徐々に広くなる構造を有する。
【００３５】
また第２挿入部２８の底面には第１突起２９が突出しており、第４挿入部３４の底面には第２突起３６が突出する。
【００３６】
従って、第２及び第４フレーム９、１１が、第２挿入部２８及び第４挿入部３４に挿入されるとき、前記第１及び第２突起２９、３６と、第２及び第４フレーム９、１１の端部に形成された貫通ホールｈ３、ｈ４とが嵌合することによって、第２及び第４フレーム９、１１を第２及び第４挿入部３４に連結することができる。
【００３７】
この時、図１０に示したように、前記第２及び第４挿入部２８、３４は、上下に配置され、その中間部が重なるので、第２及び第４フレーム９、１１は、時計及び反時計方向にそれぞれ旋回可能な構造を有する。
【００３８】
従って、第２フレーム９と第４フレーム１１とが、互いに展開することによってバナーｆを支持することができ、互いに重ねることによって、畳んで保管することができる。
【００３９】
前記第５挿入部３８は、外側カバー２２の後面に一定の角度で傾いた状態で突出し、その内部に支えの役割をする前記支えフレーム１３が挿入される。この時、前記支えフレーム１３は、前記第５挿入部３８と分離可能に挿入される。
【００４０】
従って、前記支えフレーム１３が第５挿入部３８に挿入されることによって、バナー支持台１を支持することができ、前記支えフレーム１３を第５挿入部３８から分離することによって、前記バナー支持台１を折り畳むことができる。
【００４１】
前記のように、連結部４の第１乃至第５挿入部２６、２８、３２、３４、及び３８に、第１乃至第４フレーム５、９、７、及び１１と、支えフレーム１３と、をそれぞれ挿入し、第２及び第４フレーム９、１１を展開することによって、バナー支持台１を直立状態で設置することができる。
【００４２】
一方、図２及び図１２に示したように、前記支持部１５ｃ、１５ｄ、１７ｃ、及び１７ｄは、４個のギャップ、つまり、第１ギャップ１５ａ、第２ギャップ１５ｂ、第３ギャップ１７ａ、及び第４ギャップ１７ｂを含む為、第１乃至第４フレーム５、９、７、及び１１の端部にそれぞれ挿入され得る。
【００４３】
このような第１乃至第４ギャップ１５ａ、１５ｂ、１７ａ、及び１７ｂは、それぞれ一側に突出した構造の環ｒ１、ｒ２、ｒ３、及びｒ４を有する。そして、前記環ｒ１、ｒ２、ｒ３、及びｒ４が、バナーｆのそれぞれの角部に形成されたホール（図示されない）に挿入されることによって、バナー支持台１がバナーを支持することができる。
【００４４】
前記ギャップ１５ａ、１５ｂ、１７ａ、及び１７ｂは、フレーム５、９、７、及び１１に固定されるが、このようなギャップ１５ａ、１５ｂ、１７ａ、及び１７ｂ の他の実施形態として、回転方式も可能である。
【００４５】
つまり、図１３及び図１４に示したように、前記第２フレーム９の端部には、第３ギャップ１７ａが回転可能に結合する。つまり、第３ギャップ１７ａの一側には環ｒ２が突出し、第３ギャップ１７ａの一側面には第１挿入ホール４２が形成され、第２フレーム９の端部には第１挿入軸４０が突出する。
【００４６】
従って、第１挿入軸４０が、前記第３ギャップ１７ａの第１挿入ホール４２に挿入されることによって、第３ギャップ１７ａと第２フレーム９とを結合することができる。
【００４７】
この時、前記第１挿入軸４０と第１挿入ホール４２とは、円筒形状で嵌合し、前記第３ギャップ１７ａは、第２フレーム９に対して回転可能である。
【００４８】
さらに前記第４フレーム１１の端部にも、第４ギャップ１７ｂが回転可能に結合される。第４ギャップ１７ｂの一側には環ｒ４が突出し、一側面には第２挿入ホール４３が形成され、第４フレーム１１の端部には第２挿入軸４１が突出する。
【００４９】
従って、前記第４ギャップ１７ｂの第２挿入ホール４３に、第２挿入軸４１を挿入することによって、第４ギャップ１７ｂを第４フレーム１１に回転可能に結合する。
【００５０】
このように回転方式のギャップが具備された複数のフレーム５、９、７、及び１１を折り畳む場合、図１４に示したように、第３及び第４ギャップ１７ａ、１７ｂがそれぞれ回転することによって、それぞれの環ｒ２、ｒ４が互いに異なる方向を向く。
【００５１】
第３及び第４ギャップ１７ａ、１７ｂが回転した後、連結部４に旋回可能に連結された第２及び第４フレーム９、１１がそれぞれ旋回して重ねられる。
【００５２】
従って、それぞれの環ｒ２、ｒ４が、第３及び第４ギャップ１７ａ、１７ｂにおいて外側面を向くことによって、第２及び第４フレーム９、１１を互いに重ねた時、間隔を最少とすることができる。
【００５３】
結果的に、バナー支持台１を折り畳む場合、第２及び第４フレーム９、１１は互いに密着するので、狭小な空間の保管用バックにも容易に保管することができる。
【００５４】
図１５には、バナー支持台の第２実施形態が図示される。つまり、バナー支持台１００に発光部材Ｌを装着することによって、夜間でもバナーｆを照らすことができる。前記発光部材Ｌは、多様な種類であり得るが、発光ダイオードとすることが好ましい。
【００５５】
このような発光部材Ｌは、第１乃至第４フレーム５、９、７、及び１１の端部に具備された第１乃至第４ギャップ１５ａ、１５ｂ、１７ａ、及び１７ｂと、連結部４とに具備される。この時、前記ギャップ１５ａ、１５ｂ、１７ａ、及び１７ｂは、透明あるいは半透明の材質を有する。
【００５６】
前記発光部材Ｌは、電線Ｗを通じて、連結部４に具備された電源供給部Ｐと連結される。
【００５７】
従って、前記発光部材Ｌに電源が供給されると、発光部材Ｌが発光して、光が第１乃至第４ギャップ１５ａ、１５ｂ、１７ａ、及び１７ｂを通じて、四方に照射されることによって、バナーｆを照らす。
【００５８】
一方、図１６及び図１７には、本発明の第３実施例に応じたバナー支持台が図示される。
【００５９】
本実施形態によるバナー支持台２００は、環境に優しい素材である複数の竹を互いに付着させて支持台を形成する点では、前述した実施形態と同一であるが、支持部の形状において差異を有する。
【００６０】
前記バナー支持台は、複数の竹プレートを互いに連結した複数のフレーム５４と、前記複数のフレーム５４を互いに連結する連結部６０と、前記複数のフレーム５４の上部及び下部に備わって、前記バナーｆの上部及び下部を支持する上部及び下部支持台５８、５９から成る。
【００６１】
このような構造を有するバナー支持台２００において、前記複数のフレーム５４は、連結部６０の上部に挿入される上部フレーム５６と、連結部６０の下部に挿入される下部フレーム５７と、連結部６０の後尾に挿入されるフレーム６２と、を含む。
【００６２】
さらに上部、下部、及び支えフレーム５６、５７、及び６２は、環境に優しい素材である竹材質から形成され、複数の竹を互いに付着させた構造を有する。従って、このようなフレーム５６、５７、及び６２は、竹の弾性と共に、複数の竹による強度とを維持する。
【００６３】
前記連結部６０は、上部フレーム５６の下端が挿入される上部挿入部６４と、下部フレーム５７の上端が挿入される下部挿入部６６と、支えフレーム６２の上端が挿入される支え挿入部６８と、を含む。
【００６４】
従って、前記複数のフレーム５４を前記連結部６０に挿入することでバナー支持台２００が組立てられて、前記複数のフレーム５４を前記連結部６０から分離することでバナー支持台２００を分解することができる。
【００６５】
前記上部支持台５８は、図１８に示したように、上部フレーム５６の上部で横方向に設置されることで、バナーｆの上端を固定する。
【００６６】
前記上部支持台５８は、内部に案内ホール７９を長手方向に形成する本体６９と、前記本体６９の長手方向両端に旋回可能に備わって前記バナーｆの側方向離脱を防止する１対のレバー７１、７３と、前記案内ホール７９に挿入されることによって前記バナーｆを上部支持台５８に連結させる支持バー８５と、を含む。
【００６７】
このような構造を有する上部支持台５８において、前記本体６９は、環境に優しい素材である竹材質から成り、前記案内ホール７９は、本体６９の内部に横方向に形成される。
【００６８】
前記本体６９の底面には、通過ホール８３が長手方向に形成され、前記通過ホール８３は、案内ホール７９と連通し、前記通過ホール８３の上部にはステップ８１が形成される。
【００６９】
従って、前記バナーｆに連結された支持バー８５が、案内ホール７９の側方から本体６９の内部に挿入され、支持バー８５が本体６９の内部に挿入されると、前記バナーｆが通過ホール８３を通って下部に進出する。
【００７０】
前記支持バー８５の一面、つまり、後面には、バナーｆが接着される。この時、支持バー８５の後面に両面テープを付着して、バナーｆを前記両面テープに付着させることが好ましい。
【００７１】
このような接着方式以外にもネジ固定方式、クリップ方式などの様々な連結方式の採用が可能である。
【００７２】
前記一対のレバー７１、７３は、本体６９の両側にそれぞれ旋回可能に具備され、本体６９の両側面７７のヒンジピン７５によって結合される。
【００７３】
従って、支持バー８５を案内ホール７９に挿入する時、前記一対のレバー７１を本体６９の上側に持ち上げることによって、支持バー８５とレバー７１間との干渉を防止する。
【００７４】
支持バー８５を、案内ホール７９に挿入し終えると、一対のレバー７１を本体６９の下側方向に下ろすことによって、支持バー８５が外力によって側方に離脱することを防止することができる。
【００７５】
支持バー８５を案内ホール７９から分離させる時、前記一対のレバー７１を再び本体６９の上側に持ち上げることによって、支持バー８５を案内ホール７９から分離することができる。
【００７６】
前記下部支持台５９も上部支持台５８と同一の構造を有するので、詳細な説明は省略する。
【００７７】
図１９には、バナー支持台の第４実施形態として、発光部材Ｌを具備するバナー支持台３００が図示される。
【００７８】
本実施形態において、前記発光部材Ｌは様々な種類であり得るが、発光ダイオードであることが好ましい。
【００７９】
このような発光部材Ｌは、上部フレーム５６及び下部フレーム５７の内側面に配置され、連結部６０に配置される電源供給部Ｐと連結される。
【００８０】
従って、前記発光部材Ｌに電源が供給されると、発光部材Ｌから光が照射されてバナーｆを照らす。
【００８１】
図２０及び図２１には、本発明の第５実施形態に応じたバナー支持台が図示される。図示したように、本実施形態によるバナー支持台９０は、支え台９１と、支え台９１の上部に具備された支持台９２と、前記支持台９２の前後部に備わってバナーｆ１及びｆ２を支持する一対のフレーム９３、９４と、を含む。
【００８２】
このような構造を有するバナー支持台９０において、前記支持台９２は、上部軸１０３と下部軸１０４とから成り、前記上部軸１０３の下部には突起１０５が突出し、前記下部軸１０４の上面には挿入溝１０６が形成される。
【００８３】
従って、前記上部軸１０３の突起１０５を、下部軸１０４の挿入溝１０６に挿入することによって、支持台９２を組立てることができる。
【００８４】
前記支持台９２の上部には、第１及び第２上部掛けピン９５、９６が突出し、下部には、第１及び第２下部掛けピン１０１、１０２が突出する。
【００８５】
前記一対のフレーム９３、９４は、支持台９２の前方に備わる前方フレーム９３と、支持台９２の後方に備わる後方フレーム９４と、を含む。
【００８６】
このような一対のフレーム９３、９４は、竹材質で形成され、複数の竹プレートを互いに付着させることによって製造することができる。
【００８７】
このような前方フレーム９３は、前記支持台９２の第１上部掛けピン９５に掛かる第１上部支持台９７と、第１下部掛けピン１０１に掛かる第１下部支持台９９から成り、前記第１上部及び下部支持台９７、９９で、バナーｆ１を固定することができる。
【００８８】
前記後方フレーム９４も前記前方フレーム９３と同一の構造を有し、第２上部掛けピン９６に掛かる第２上部支持台９８と、第２下部掛けピン１０２にかかる第２下部支持台１００から成る。
【００８９】
従って、前記第２上部及び下部支持台９８、１００によって、バナーｆ２を固定することができる。
【００９０】
図２２及び図２３には、本発明の第６実施形態に応じたバナー支持台が図示される。
【００９１】
図示したように、本実施形態によるバナー支持台１１０は、支え台１１２と、支え台１１２の上部に具備された支持台１１４と、前記支持台１１４の前方に具備されてバナーｆを支持するフレーム１１６と、前記フレーム１１６によって支持されたバナーｆの下部を巻くローラ１２０と、を含む。
【００９２】
このような構造を有するバナー支持台１１０において、前記支持台１１４は、上部軸１２２と下部軸１２４から成る。
【００９３】
従って、前記上部軸１２２と下部軸１２４とを、互いに組立てることによって支持台１１４を構成し、前記支持台１１４の上部には上部掛けピン１１８が突出する。
【００９４】
前記フレーム１１６は竹材質で形成され、複数の竹プレートを互いに付着させることによって製造することができる。
【００９５】
このようなフレーム１１６は、前記上部掛けピン１１８に掛かり、前記バナーｆの上部をこの上部掛けピン１１８に連結し、下部を前記ローラ１２０で巻く。
【００９６】
前記ローラ１２０は、支え台１１２の内部で回転可能に配置され、スプリングなどの弾性部材（図示されない）によって、一回転方向に弾性的に支持された状態である。
【００９７】
従って前記バナーｆは、ローラ１２０によって、一方向に巻かれている状態であり、前記フレーム１１６を、上部に引いて前記上部掛けピン１１８に掛ける場合、ローラ１２０が回転することによってバナーｆが展開される。
【００９８】
図２４及び図２５には、バナー支持台の第７実施形態が図示される。
【００９９】
図示したように、本実施形態によるバナー支持台４００は、バナーｆの上部を連結するフレーム１４０と、バナーｆの下部を連結する支え台１３２と、を含む。
【０１００】
前記フレーム１４０にワイヤーＷを連結することによって、壁体などに突出した釘やピンに掛けることができる。
【０１０１】
前記フレーム１４０は、本体１３６の上面両側にホールｈ５、ｈ６を形成し、二つのホールｈ５、ｈ６にワイヤーＷの両端を挿入させる。
【０１０２】
この時、ワイヤーＷの両端には、掛けバー１４２ａ、１４２ｂがそれぞれ連結される。
【０１０３】
前記掛けバー１４２ａ、１４２ｂの長さは、ホールｈ５、ｈ６の直径より長く形成される。
【０１０４】
従って、前記掛けバー１４２ａ、１４２ｂを、ワイヤーＷの長さ方向と一致させて、掛けバー１４２ａ、１４２ｂの一端をホールｈ５、ｈ６に挿入させれば、掛けバー１４２ａ、１４２ｂを、本体１３６の内部に形成された案内ホール１３８内に位置させることができる。
【０１０５】
この状態で、ワイヤーＷが引っ掛けられると、掛けバー１４２ａ、１４２ｂが案内ホール１３８の内側面と接触することによって、ホールｈ５、ｈ６を通じて離脱することを防止できる。
【０１０６】
このようなバナー支持台４００は、バナーｆを支持する時、フレーム１４０のワイヤーＷを壁体などに突出した釘に掛けて、バナーｆを下方にぶら下げることによって設置されることができる。
【符号の説明】
【０１０７】
１  バナー支持台
４  連結部
５  第１フレーム
７  第３フレーム
９  第２フレーム
１１  第４フレーム
１３  支えフレーム
１５ａ  第１ギャップ
１５ｂ  第２ギャップ
１５ｃ  支持部
１５ｄ  支持部
１７ａ  第３ギャップ
１７ｂ  第４ギャップ
１７ｃ  支持部
１７ｄ  支持部
２０  内側カバー
２２  外側カバー
２４  内側ケース
２５  ボルト
２６  第１挿入部
２８  第２挿入部
２９  第１突起
３０  外側ケース
３２  第３挿入部
３４  第４挿入部
３６  第２突起
３８  第５挿入部
４０  第１挿入軸
４２  第１挿入ホール
４３  第２挿入ホール
６０  連結部
６２  支えフレーム
ｆ  バナー
ｈ１  ネジ穴
ｈ２  ネジ穴
ｈ３  貫通ホール
ｈ４  貫通ホール
Ｐ１、Ｐ２・・・Ｐｎ  プレート
ｒ１  環
ｒ２  環
ｒ３  環
ｒ４  環
【図１】
2010156940.tif 000003
【図２】
2010156940.tif 000004
【図３】
2010156940.tif 000005
【図４】
2010156940.tif 000006
【図５】
2010156940.tif 000007
【図６】
2010156940.tif 000008
【図７】
2010156940.tif 000009
【図８】
2010156940.tif 000010
【図９】
2010156940.tif 000011
【図１０】
2010156940.tif 000012
【図１１】
2010156940.tif 000013
【図１２】
2010156940.tif 000014
【図１３】
2010156940.tif 000015
【図１４】
2010156940.tif 000016
【図１５】
2010156940.tif 000017
【図１６】
2010156940.tif 000018
【図１７】
2010156940.tif 000019
【図１８】
2010156940.tif 000020
【図１９】
2010156940.tif 000021
【図２０】
2010156940.tif 000022
【図２１】
2010156940.tif 000023
【図２２】
2010156940.tif 000024
【図２３】
2010156940.tif 000025
【図２４】
2010156940.tif 000026
【図２５】
2010156940.tif 000027